(57)【要約】      （修正有）【課題】別途の充電用ドックまたはデータ保存場所を備えなくても、多様な携帯端末機と充電またはデータ伝送などが相互互換されて、携帯性及び互換性が改善された着用可能な表示装置を提供する。【解決手段】画像を送出する表示部１１０と、一端が表示部１１０と接続した第１ハウジング１２０と、一端が第１ハウジング１２０の一端と対向するように配置される第２ハウジング１３０と、第１ハウジング１２０と第２ハウジング１３０を相互にスライド可能に接続するスライド部１４０と、を含む着用可能な表示装置。【選択図】図１
2016145979.tif 000002
【特許請求の範囲】
【請求項１】
着用可能な表示装置において、
画像を送信する表示部と、
一端が前記表示部と接続した第１ハウジングと、
一端が前記第１ハウジングの一端と対向するように配置される第２ハウジングと、
前記第１ハウジングと前記第２ハウジングを相互にスライド可能に接続するスライド部と、を含む、着用可能な表示装置。
【請求項２】
前記第１ハウジングに結合し、少なくとも前記表示部の一部を覆うように第１ハウジングの外側に沿ってスライド可能なカバーをさらに含む、請求項１に記載の着用可能な表示装置。
【請求項３】
前記第１ハウジングの一面に２つ以上の第１凹部が形成された、請求項１に記載の着用可能な表示装置。
【請求項４】
前記第１ハウジングの他端に第１回転関節部が回転可能に結合した、請求項１に記載の着用可能な表示装置。
【請求項５】
前記第１回転関節部は、
前記第１ハウジングの他端と回転可能に結合する第１ヒンジと、
前記第１ヒンジとヒンジ結合する第１ボールと、
前記第１ボールが嵌合する形状およびサイズのＵ字型嵌合溝を含む第１ソケットと、を含む、請求項４に記載の着用可能な表示装置。
【請求項６】
前記第２ハウジングの一面に２つ以上の第２凹部が形成された、請求項１に記載の着用可能な表示装置。
【請求項７】
前記第２ハウジングの他端に第２回転関節部が回転可能に結合した、請求項１に記載の着用可能な表示装置。
【請求項８】
前記第２回転関節部は、
前記第２ハウジングの他端と回転可能に結合する第２ヒンジと、
第２ヒンジとヒンジ結合する第２ボールと、
前記第２ボールが嵌合する形状およびサイズのＵ字型嵌合溝が形成された第２ソケットと、を含む請求項７に記載の着用可能な表示装置。
【請求項９】
前記スライド部は、
前記第１ハウジングの一端に配置され、前記第２ハウジングの一端の方向に延在する第１フレームと、
前記第２ハウジングの一端に配置され、前記第１ハウジングの一端の方向に延在する第２フレームと、
前記第１フレームと前記第２フレームを受け、それぞれが貫通するストッパーブロックと、を含む、請求項１に記載の着用可能な表示装置。
【請求項１０】
前記スライド部は、  
前記ストッパーブロックから前記第１フレームに向かって、前記第１フレームが延在する第１方向に延在する第１ワイヤー部材と、
前記ストッパーブロックから前記第２フレームに向かって、前記第２フレームが延在する第２方向に延在する第２ワイヤー部材と、を含む、請求項９に記載の着用可能な表示装置。
【発明の詳細な説明】
【技術分野】
【０００１】
本発明は、着用可能な表示装置に係り、より詳しくは、頭、腕、脚などの身体に着用可能な表示装置に関する。
【背景技術】
【０００２】
表示装置は、画像を表示する装置であって、最近の表示装置技術の発展に伴い、表示装置の範疇はスマートフォン、タブレットＰＣ、ＰＤＡのような携帯移動通信端末機だけでなく、スマートウォッチ（ｓｍａｒｔ  ｗａｔｃｈ）、ヘッドマウントディスプレイ（Ｈｅａｄ  Ｍｏｕｎｔｅｄ  Ｄｉｓｐｌａｙ、ＨＭＤ）などの着用可能な表示装置（ｗｅａｒａｂｌｅ  ｄｉｓｐｌａｙ  ｄｅｖｉｃｅ）まで幅広く拡張されている。
【０００３】
着用可能な表示装置の中でも、人工現実（Ａｒｔｉｆｉｃｉａｌ  Ｒｅａｌｉｔｙ、ＡＲ）を利用して眼鏡の代わりに着用可能な表示装置の一例として、米国のグーグル（Ｇｏｏｇｌｅ）社で販売中のグーグルグラス（ｇｏｏｇｌｅ  ｇｌａｓｓ）が挙げられる。
【０００４】
ただし、このように着用可能な表示装置は、充電またはデータの伝送を行うために、別途の充電用ドックまたは別途のデータ保存場所と接続されなければならない。すなわち、着用可能な表示装置を持続的に使用するためには、当該表示装置の規格に合う別途の充電用ドックまたはデータ保存場所が必要である。これにより、当該表示装置の快適な使用のためには、別途の充電用ドックまたはデータ保存場所を常時携帯しなければならないので、表示装置の携帯性及び互換性の面で制約を受けるようになる。
【先行技術文献】
【特許文献】
【０００５】
【特許文献１】米国特許第８６４５６０４号明細書
【特許文献２】米国特許出願公開第２０１３／００２２２２０号明細書
【発明の概要】
【発明が解決しようとする課題】
【０００６】
本発明は上記の問題点に鑑みてなされたものであって、本発明の目的は、別途の充電用ドックまたはデータ保存場所を備えなくても、多様な形態端末機（例えばスマートフォンなど）と充電またはデータ伝送などが相互互換されて、携帯性及び互換性が改善された着用可能な表示装置を提供することにある。
【課題を解決するための手段】
【０００７】
本発明の一実施形態によると、画像を送信する表示部と、一端が表示部と接続した第１ハウジングと、一端が第１ハウジングの一端と対向するように配置される第２ハウジングと、第１ハウジングと第２ハウジングを相互にスライド可能に接続するスライド部と、を含む着用可能な表示装置が提供される。
【０００８】
着用可能な表示装置は、第１ハウジングに結合し、少なくとも表示部の一部を覆うように第１ハウジングの外側に沿ってスライド可能なカバーをさらに含んでもよい。
【０００９】
着用可能な表示装置は、第１ハウジングの一面に形成された２つ以上の第１凹部をさらに含んでもよい。
【００１０】
着用可能な表示装置は、第１ハウジングの他端に回転可能に結合した第１回転関節部をさらに含んでもよい。
【００１１】
第１回転関節部は、第１ハウジングの他端と回転可能に結合する第１ヒンジと、第１ヒンジとヒンジ結合する第１ボールと、第１ボールが嵌合する形状およびサイズのＵ字型嵌合溝を含む第１ソケットと、を含んでもよい。
【００１２】
着用可能な表示装置は、第２ハウジングの一面に形成された２つ以上の第２凹部をさらに含んでもよい。
【００１３】
着用可能な表示装置は、第２ハウジングの他端に回転可能に結合した第２回転関節部をさらに含んでもよい。
【００１４】
第２回転関節部は、第２ハウジングの他端と回転可能に結合する第２ヒンジと、第２ヒンジとヒンジ結合する第２ボールと、第２ボールが嵌合する形状およびサイズのＵ字型嵌合溝を含む第２ソケットと、を含んでもよい。
【００１５】
スライド部は、第１ハウジングの一端に配置され、第２ハウジングの一端の方向に延在する第１フレームと、第２ハウジングの一端に配置され、第１ハウジングの一端の方向に延在する第２フレームと、第１フレームと第２フレームを受け、それぞれが貫通するストッパーブロックと、を含んでもよい。
【００１６】
スライド部は、ストッパーブロックから第１フレームに向かって第１フレームが延在する第１方向に延在する第１ワイヤー部材と、ストッパーブロックから第２フレームに向かって第２フレームが延在する第２方向に延在する第２ワイヤー部材とをさらに含んでもよい。
【発明の効果】
【００１７】
本発明の一実施形態による着用可能な表示装置は、頭、腕、脚のような身体の一部に着用可能であり、ユーザの身体に着用しない場合は、移動通信端末機（たとえばスマートフォン）などに固定して携帯及び保管することができると同時に、端末機と電気的に接続することによって、別途の充電用ドックまたはデータ保存場所を備えなくても、移動通信端末機による表示装置の充電（またはその逆）、および移動通信端末機と表示装置間の情報交換が可能なので、携帯性及び互換性に優れている。
【図面の簡単な説明】
【００１８】
【図１】本発明の一実施形態による着用可能な表示装置を示す図である。
【図２】図１に示した本発明の一実施形態による着用可能な表示装置における表示部を拡大した図である。
【図３】本発明の一実施形態による着用可能な表示装置と携帯端末機が互いに接続されることを示す図である。
【図４】本発明の一実施形態による着用可能な表示装置の第１回転関節部の回転動作を概略的に示す図である。
【図５】本発明の一実施形態による着用可能な表示装置の第１回転関節部の回転動作を概略的に示す図である。
【図６】本発明の一実施形態による着用可能な表示装置のスライド部のスライド動作を概略的に示す図である。
【図７】本発明の一実施形態による着用可能な表示装置の第１接触端子の回転動作を概略的に示す図である。
【図８】本発明の一実施形態による着用可能な表示装置の第１接触端子が携帯端末機に電気的に接続されることを示す図である。
【図９】本発明の一実施形態による着用可能な表示装置を、ユーザの頭に着用した例を示す図である。
【発明を実施するための形態】
【００１９】
以下、添付した図を参照しながら、本発明の実施形態について、本発明が属する技術分野における通常の知識を有する者が容易に実施できるように詳細に説明する。本発明は、種々の異なる形態に具現されることができ、以下で説明する実施形態に限られない。図において、本発明を明確に説明するために説明上不必要な部分は省略し、明細書の全体にわたって同一または類似する構成要素に対しては同一の参照符号を付した。
【００２０】
また、図において、各構成のサイズ及び厚さは、説明の便宜のために任意で示したものであり、本発明が必ずしも示したものに限られるわけではない。
【００２１】
また、明細書の全体において、ある部分がある構成要素を「含む」と表現されるとき、これは特に反対になる記載がない限り、他の構成要素を除くことではなく、他の構成要素をさらに含むことを意味する。
【００２２】
本発明の実施形態における説明を簡易にするため、「下に」、「下」、「下方」、「上部」、「上」などの空間的に相対的な用語が本明細書中で使用される。空間的に相対的な用語は、図に示された方向に加えて、使用又は操作における装置の図上とは異なる向きを考慮される。図中のデバイスがひっくり返された場合、「下」は、実質的に「上」になることもある。したがって、他の向きで使用するとき、空間的相対記述はそれに順じて解釈することができる。さらに、ある要素が別の要素「の上に」、「に接続する」、「に結合する」、「に隣接する」などとするとき、それは直接的であっても、介在する要素が存在してもよい。また、ある要素が二つの要素「の間に」あるとしたとき、それは唯一であっても、1つ以上の介在要素が存在してもよい。
【００２３】
さらに、ある要素を他の要素と区別するとき「第１」、「第２」、「第３」などの用語が使われるが、これらの用語に限定されるものではない。ある実施形態における「第１の」要素は、別の例示的な実施形態における「第２の」要素として説明することがある。
【００２４】
図１は、本発明の一実施形態による着用可能な表示装置を示す図である。
【００２５】
本発明の一実施形態による着用可能な表示装置１００は、人の身体、例えば、頭、腕または脚などに多様な部分に着用可能であり、例えば頭に着用する場合、画像がユーザの眼球に直接伝達されるように調節でき、腕または脚などに着用する場合には、外部の所定の空間（例えばプロジェクタスクリーンや壁など）に画像を投射）するように調節できる。
【００２６】
図１を参照すると、本発明の一実施形態による着用可能な表示装置１００は、表示部１１０、第１ハウジング１２０、第２ハウジング１３０、スライド部１４０、第３ハウジング１５０、及び第４ハウジング１６０を含む。
【００２７】
表示部１１０は、２つ以上のレンズ及び２つ以上の光学系を含み、レンズと光学系により画像をユーザの眼球または外部の所定の空間に投射することができる。表示部１１０は、画像を投射するために透明な素材で形成されてもよい。図１に示された表示装置１００を頭に着用する場合、表示装置１００の表示部１１０がｙ軸方向に沿ってユーザの眼球前面（ｆｒｏｎｔ  ｓｉｄｅ）に平行に配置される眼鏡として使用できるが、表示部１１０が手の甲に位置するように表示装置１００を手首に着用することにより、腕時計（例えばスマートウォッチ）としても使用可能である。
【００２８】
本実施形態では表示部１１０の形状は六面体形状だが、本発明の範囲はこれに制限されず、表示装置１００の用途、着用部位などにより球形（ｓｐｈｅｒｅ）、円形（ｃｉｒｃｌｅ）などの多様な形状であってもよい。
【００２９】
第１ハウジング１２０は、一端（前部）が表示部１１０と接続されてもよい。第１ハウジング１２０は、内部に中空空間が形成されており、表示部１１０に画像信号を送信する回路部（図示せず）が、第１ハウジング１２０の中空空間部分に配置されてもよい。例示的な実施形態では、中空空間と回路部は、着用可能な表示装置１００の異なる部分に配置されてもよい。図１に示すように、第１ハウジング１２０はＬ字形状に形成され、ユーザが表示装置１００を頭に着用する場合、こめかみ（ｔｅｍｐｌｅ）上部と接触する眼鏡のつるの機能を遂行することができる。第１ハウジング１２０は、手首、足首などに巻けるように可撓性（ｆｌｅｘｉｂｉｌｉｔｙ）を有する素材で形成してもよい。
【００３０】
図２は、図１に示した本発明の一実施形態による着用可能な表示装置における表示部を拡大した図である。
【００３１】
図１及び図２を参照すると、カバー１２１は、表示部１１０と隣接した第１ハウジング１２０の外側にスライド可能な状態で結合する。図２に示すように、カバー１２１は、第１ハウジング１２０に沿って矢印の方向にスライド移動して、少なくとも表示部１１０の外側一部を覆ってもよい。本実施形態において、カバー１２１はＵ字形状の構造体であって、例えば図１に示すように、表示部のｚ軸方向の面とｙ軸方向両の面を覆って保護することができるが、カバー１２１の形状及びカバー１２１の移動可能な範囲が必ずしもこのような範囲に限定されず、表示装置１００の用途、使用環境などにより多様なサイズ及び形状に形成されてもよい。これにより、表示装置１００を野外で使用する場合に、雪、雨などの気候変化及び汗、埃などの外部異物の流入による表示部１１０の損傷を防止することができる。
【００３２】
第１凹部１２２は、表示装置１００を着用する際、身体と第１ハウジング１２０とが直接接触する領域に形成される。図１に示すように、本実施形態では、第１凹部１２２が、第１ハウジング１２０のｘ軸方向の面に形成されてもよい。２つ以上の第１凹部１２２が図１のｙ軸方向に沿って形成されてもよい。
【００３３】
一実施形態において、第１凹部１２２が第１ハウジング１２０の一面のみに形成されてもよい。例えば、図１に示すように、第１凹部１２２は第１ハウジング１２０の一側面のみに形成され、上部面及び下部面などには形成されなくてもよい（ここで上部面とは、表示部１１０とカバー１２１が配置される第１ハウジング１２０の側面を示す）。ただし、本発明の範囲はこれに限定されず、第１凹部１２２の形成位置は多様に設計されてもよい。
【００３４】
図３は、本発明の一実施形態による着用可能な表示装置と端末機が互いに接続される形状を示す図である。
【００３５】
図３を参照すると、表示装置１００は、一般的な携帯用端末機１０の上部と両側面を取り囲むように配置されてもよい。図３に示すように、側面から延び、上部で隣接する側面は互いに対向する。携帯端末１０は、例えば、スマートフォンなどの携帯電子機器であるが、これに限定されない。
【００３６】
図３に示すように、携帯用端末機１０の両側面に２つ以上の突出部１１が形成される場合、第１凹部１２２は突出部１１にそれぞれ嵌合することによって端末機１０と表示装置１００とを相互固定することができる。このように、表示装置１００をユーザの身体に着用しない場合は、携帯用端末機１０に固定することにより、表示装置１００の保管及び携帯を容易にする。携帯用端末機１０は、例えば、スマートフォンのような移動通信装置であってもよいが、本発明の範囲がこれに限定されることはない。
【００３７】
図４及び図５は、本発明の一実施形態による着用可能な表示装置の第１回転関節部の回転動作を概略的に示す図である。
【００３８】
以下、図４及び図５を参照して、本発明の一実施形態による着用可能な表示装置の第１回転関節部の構成及び回転動作について説明する。
【００３９】
第１回転関節部１２３は、第１ハウジング１２０の表示部１１０とカバー１２１が配置される側とは反対側の他端に結合する構造体である。例えば、表示部１１０とカバー１２１が第１ハウジング１２０の一端（前端）に位置するとき、第１回転関節部１２３は第１ハウジング１２０の反対側の他端（後端）に位置する。第１回転関節部１２３は、第１ハウジング１２０に回転可能に固定される。本発明の一実施形態による着用可能な表示装置１００の第１回転関節部１２３は、第１ボール１２３ａ、第１ソケット１２３ｂ、第１ヒンジ１２３ｃ、及び第１ベアリング１２３ｄを含み、互いに異なる２つ以上の複合的な回転動作が可能である。
【００４０】
図４に示すように、第１ソケット１２３ｂには、第１ボール１２３ａと接触する面に、第１ボール１２３ａが嵌合する形状およびサイズの嵌合溝が形成され、嵌合溝が形成された面と反対方向側の面は第３ハウジング１５０と接続する。第１ソケット１２３ｂの嵌合溝は、第１ボール１２３ａが嵌合溝に円滑に嵌合されると同時に、嵌合された第１ボール１２３ａが第１ソケット１２３ｂを離脱しないように、嵌合溝がＵ字形状に形成されてもよい。
【００４１】
このように第１ボール１２３ａと第１ソケット１２３ｂを結合することにより、第１ボール１２３ａが、図５に示されているように、上下または左右へと多様な方向への回転が可能になる。
【００４２】
第１ヒンジ１２３ｃは、第１ハウジング１２０の他端と回転可能に結合してもよい。図４に示すように、第１ヒンジ１２３ｃは、第１ハウジング１２０と第１ヒンジ１２３ｃとの結合方向を回転中心軸にして回転が可能である。一方、第１ヒンジ１２３ｃは、第１ボール１２３ａとヒンジ結合することにより、第１ボール１２３ａと第１ソケット１２３ｂを同時に図４の点線部分のようにヒンジ回転することができる。
【００４３】
第１ベアリング１２３ｄは、第１ハウジング１２０の他端と第１ヒンジ１２３ｃとの間に配置され、第１ヒンジ１２３ｃ及び第１ハウジング１２０の荷重を支持すると同時に、第１ヒンジ１２３ｃを第１ハウジング１２０と第１ヒンジ１２３ｃの結合方向を回転中心軸にして回転することを可能にする。
【００４４】
このように、本発明の一実施形態による着用可能な表示装置１００の第１回転関節部１２３は、第１ボール１２３ａと第１ソケット１２３ｂの結合による回転（第１回転）と、第１ヒンジ１２３ｃと第１ボール１２３ａのヒンジ結合による回転（第２回転）と、第１ベアリング１２３ｄによる第１ヒンジ１２３ｃの回転（第３回転）とが同時に動作可能である。このような第１回転関節部１２３の複合回転動作による効果は、第３ハウジング１５０及び第４ハウジング１６０の構成と共に後述する。
【００４５】
以下、図１、図３及び上述した第１ハウジング１２０の構成を参照して、本発明の一実施形態による着用可能な表示装置の第２ハウジング１３０の構成について説明する。
【００４６】
図１に示すように、第２ハウジング１３０は、一端（以降、第２ハウジング１３０の前端と呼ぶ）が第１ハウジング１２０の前端と対向するように配置されてもよい。第２ハウジング１３０は、第１ハウジング１２０の形状に相応するＬ字形状に折れ曲がって形成され、ユーザが表示装置１００を頭に着用する場合、こめかみ上部と接触する眼鏡のつるの機能を遂行することができる。すなわち、図１ｂに示すように、表示装置１００を頭に着用する場合、第１ハウジング１２０は右側のこめかみ上部に、第２ハウジング１３０は左側のこめかみ上部にそれぞれ接触することとなる。第２ハウジング１３０には、第１ハウジング１２０と同様に中空が形成され、内部に回路部（図示せず）及び第１ハウジング１２０とデータを交換するように通信モジュール（図示せず）が設置されてもよい。例示的な実施形態において、通信モジュールは、第２ハウジング１３０内に配置されてもよい。
【００４７】
本実施形態における、着用部位によって多様な方式で表示モジュール１００を使用するように、第１ハウジング１２０及び第２ハウジング１３０回路部のうちの少なくとも１つの回路部（図示せず）は、撮像モジュール（図示せず）や心拍測定モジュール（図示せず）、重力センサー（図示せず）、位置センサー（図示せず）などの多様な要素と動作可能に接続されてもよい。
【００４８】
一方、第２ハウジング１３０は、収容溝１３１及び第２凹部１３２を含む。
【００４９】
収容溝１３１は、第１ハウジング１２０と第２ハウジング１３０を互いに接続するスライド部１４０が有するストッパーブロック１４３を収容できるように第２ハウジング１３０の一面に形成される。これにより、図３に示すように、着用可能な表示装置１００を身体に着用しない場合、第１ハウジング１２０及び第２ハウジング１３０の間隔を小さくして携帯端末機１０に固定することができる。
【００５０】
第２凹部１３２は、表示装置１００を身体に着用する場合、身体と第２ハウジング１３０が直接接触する領域に形成される。図１に示すように、第２凹部１３２は、第１凹部１２２を含む第１ハウジング１２０の面と対向する第２ハウジング１３０の面に形成されてもよい。第１凹部１２２と類似して、第２凹部１３２は、第２ハウジング１３０のｘ軸方向に沿って形成されてもよく、２つ以上の第２凹部１３２が図１ｙ軸方向に沿って形成されてもよい。図３に示すように、第２凹部１３２は携帯端末機１０に形成された２つ以上の突出部１１とそれぞれ嵌合して、携帯端末機１０と表示装置１００を相互固定することができる。このように、着用可能な表示装置１００を身体に着用しない場合、表示装置１００の両側が、携帯端末機１０の両側面をバランスよく固定することにより、表示装置１００を着用しないときの表示装置１００の保管及び携帯を容易にする。
【００５１】
以下、図４、図５及び上述した第１回転関節部１２３の構成を参照して、第２回転関節部について説明する。
【００５２】
第２回転関節部１３３は、第２ハウジング１３０の前端とは反対側の他端（以降、第２ハウジング１３０の後端と呼ぶ）に結合する構造体である。第２回転関節部１３３は、第２ハウジング１３０に回転可能に固定される。本発明の一実施形態による着用可能な表示装置１００の第２回転関節部１３３は、第２ボール１３３ａ、第２ソケット１３３ｂ、第２ヒンジ１３３ｃ、及び第２ベアリング１３３ｄを含み、詳細な構成及び機能は、回転動作も含めて、上述した第１回転関節部１２３の構成及び回転動作と同一である。
【００５３】
すなわち、第２回転関節部１３３の第２ソケット１３３ｂには、第２ボール１３３ａが嵌合する嵌合溝が形成され、嵌合溝が形成された面と反対方向側の面は第４ハウジング１６０と接続し、第２ヒンジ１３３ｃは第２ハウジング１３０の他端と回転可能に結合すると同時に、第２ボール１３３ａとはヒンジ結合し、第２ベアリング１３３ｄは第２ハウジング１３０の他端と第２ヒンジ１３３ｃとの間に配置される。
【００５４】
これにより、本発明の一実施形態による着用可能な表示装置１００の第２回転関節部１３３は、第２ボール１３３ａと第２ソケット１３３ｂの結合による回転（第１回転）と、第２ヒンジ１３３ｃと第２ボール１３３ａのヒンジ結合による回転（第２回転）と、第２ベアリング１３３ｄによる第２ヒンジ１３３ｃの回転（第３回転）とが同時に動作可能である。
【００５５】
図６は、本発明の一実施形態による着用可能な表示装置のスライド部のスライド動作を概略的に示す図である。
【００５６】
以下、図１及び図６を参照して、本発明の一実施形態による着用可能な表示装置１００のスライド部１４０について説明する。
【００５７】
スライド部１４０は、第１ハウジング１２０の一端と第２ハウジング１３０の一端とを互いに接続させてもよい。例えば、スライド部１４０は、第１ハウジング１２０の前端部と第２ハウジング１３０の後端部とを互いに接続させてもよい。スライド部１４０は、第１フレーム１４１、第２フレーム１４２、ストッパーブロック１４３、及び一対のワイヤー部材１４４を含む。図６に示すように、スライド部１４０は、スライド可能に接続されることによって、身体サイズに応じて第１ハウジング１２０と第２ハウジング１３０との間隔を柔軟に調節するが、上述した図３に示すように、身体に着用しない場合には、携帯端末機１０に固定して保管するように調節することも可能である。すなわち、図３に示すように、スライド部１４０を調整することで、着用可能な表示装置１００は携帯端末１０に固定され、表示装置１００を身体に着用しない場合に保管することができる。
【００５８】
図１に示すように、第１フレーム１４１の少なくとも一部は、第１ハウジング１２０の一端に向かって第１ハウジング１２０に収容され、第２ハウジング１３０に向かって延在してもよい。例えば、図１に示すように、第１フレーム１４１の少なくとも一部は、第１ハウジング１２０の前端に収容されてもよい。図６に示すように、第１フレーム１４１は、第１ハウジング１２０から第２ハウジング１３０に向かってスライド移動が可能である。
【００５９】
図１に示すように、第２フレーム１４２の少なくとも一部は、第２ハウジング１３０の一端に向かって第２ハウジング１３０に収容され、第１ハウジング１２０に向かって延在してもよい。例えば、図１に示すように、第２フレーム１４２の少なくとも一部は、第２ハウジング１３０の前端に収容されてもよい。
【００６０】
すなわち、第２フレーム１４２は、第１フレーム１４１のスライド方向と反対方向に、第２ハウジング１３０から第１ハウジング１２０に向かってスライド移動が可能である。
【００６１】
ストッパーブロック１４３は、第１フレーム１４１及び第２フレーム１４２を受け、それぞれによって貫通されるが、第１フレーム１４１と第２フレーム１４２がスライド軌道から離脱しないように、第１フレーム１４１及び第２フレーム１４２のスライド動作を制限することができる。本実施形態では、第１フレーム１４１の両端部と第２フレーム１４２の両端部がストッパーブロック１４３の貫通ホールより大きい外径を有するように形成することにより、第１フレーム１４１及び第２フレーム１４２がストッパーブロック１４３を離脱せずに、図６に示されたスライド軌道を維持しながら移動することができる。
【００６２】
ユーザが着用可能な表示装置１００を頭に着用した場合、このような第１フレーム１４１、第２フレーム１４２、及びストッパーブロック１４３は、第１ハウジング１２０と第２ハウジング１３０を互いに連結する眼鏡のブリッジ（ｂｒｉｄｇｅ）の機能を遂行することができる。
【００６３】
一対のワイヤー部材１４４は、ストッパーブロック１４３から第１フレーム１４１の延在方向と第２フレーム１４２の延在方向に沿ってそれぞれ延在するよう形成してもよい。
【００６４】
一対のワイヤー部材１４４は、ストッパーブロック１４３から第１フレーム１４１に向かって、第１フレーム１４１が延在する方向である第１方向に延在する第１ワイヤー部材と、ストッパーブロック１４３から第２フレーム１４２に向かって、第２フレーム１４２が延在する方向である第２方向に延在する第２ワイヤー部材と、を含む。
【００６５】
図６に示すように、一対のワイヤー部材１４４は、第１フレーム１４１の端部及び第２フレーム１４２の端部とそれぞれ接続してもよい。第１フレーム１４１側に接続する第１ワイヤーは、第１ハウジング１２０の方向に向かって延在し、第２フレーム１４２側に接続する第２ワイヤーは、第２ハウジング１３０の方向に向かって延在する。
【００６６】
図６に示す点線およびワイヤー部材１４４に示す矢印のように、一対のワイヤー部材１４４は、第１ハウジング１２０と第２ハウジング１３０の間隔が広くなると、それぞれ第１フレーム１４１及び第２フレーム１４２から離れ、第１ハウジング１２０と第２ハウジング１３０の間隔が狭くなると、第１フレーム１４１及び第２フレーム１４２と共にそれぞれ第１ハウジング１２０及び第２ハウジング１３０内に収容される。
【００６７】
一対のワイヤー部材１４４は、外力によって、図６に示された点線位置から矢印方向に沿って柔軟に曲げられると同時に、変形された形状を維持できる素材で形成されてもよい。すなわち、一対のワイヤー部材１４４は、それぞれ第１フレーム１４１及び第２フレーム１４２から離れて、柔軟に曲げられるので、表示装置１００を頭に着用する場合、一対のワイヤー部材１４４は眼鏡の鼻パッド（ｎｏｓｅ  ｐａｄ）機能を遂行することができる。
【００６８】
図７は、本発明の一実施形態による着用可能な表示装置の第１接触端子の回転動作を概略的に示す図であり、図８は、本発明の一実施形態による着用可能な表示装置の第１接触端子が携帯端末機に電気的に接続されることを示す図である。
【００６９】
以下、図１、図７及び図８を参照して、本発明の一実施形態による第３ハウジング１５０及び第４ハウジング１６０の構成について説明する。
【００７０】
第３ハウジング１５０は第１ソケット１２３ｂと接続し、第４ハウジング１６０は第２ソケット１３３ｂと接続してもよい。第３ハウジング１５０及び第４ハウジング１６０はそれぞれ互いに相応する棒形状の構造体であって、少なくともいずれか１つの内部には中空が形成され、回路部（図示せず）に電力を供給するためのバッテリパック（図示せず）が設置されてもよい。
【００７１】
第３ハウジング１５０の一面には第１接触端子１５１が収容され、図７に示すように、第３ハウジング１５０がヒンジ回転可能に結合してもよい。第４ハウジング１６０の一面にも、図１に示されているように、第２接触端子１６１がヒンジ回転可能に結合してもよい。
【００７２】
着用可能な表示装置１００を携帯端末機１０に固定される場合、第１接触端子１５１及び第２接触端子１６１のうちの少なくともいずれか１つは、携帯端末機１０の下端に位置した充電端子に挿入されて携帯端末機１０と表示装置１００とを電気的に接続することができる。図８に示すように、本実施形態では、第１接触端子１５１が携帯端末機１０と電気的に接続されるが、これは本発明の一実施形態に過ぎず、携帯端末機１０の充電端子位置、表示装置１００のバッテリパック（図示せず）の設置位置などによって第１接触端子１５１及び第２接触端子１６１のうちのどちらと電気的に接続されてもよい。
【００７３】
このように、第１接触端子１５１及び第２接触端子１６１を利用して着用可能な表示装置１００を携帯端末機１０と電気的に接続することにより、着用可能な表示装置１００または携帯端末機１０のうちのいずれか１つが（他の接続されるデバイスを介して）充電されるように制御することができ、携帯端末機１０と着用可能な表示装置１００間の情報を交換するように制御することも可能である。
【００７４】
すなわち、本発明の一実施形態による着用可能な表示装置１００は、携帯端末機１０の両側面に配置される第１凹部１２２及び第２凹部１３２を介して側部だけで物理的に固定される（両側部から延在する着用可能な表示装置１００の上部は、携帯端末機１０の上部と物理的に結合しない）。着用可能な表示装置１００は、第１接触端子１５１及び第２接触端子１６１を通じて携帯端末機１０と電気的に接続される。ユーザの身体に着用しない場合、別途の充電用ドックまたはデータ保存場所を備えなくても、携帯端末機１０を通じた表示装置１００の充電、または携帯端末機１０と表示装置１００間の情報交換が可能であるという効果がある。
【００７５】
図９は、本発明の一実施形態による着用可能な表示装置を、ユーザの頭に着用した場合を示す図である。
【００７６】
以下、図１乃至図９を参照して、本発明の一実施形態による着用可能な表示装置１００における第３ハウジング１５０及び第４ハウジング１６０の多様な位置変化について説明する。
【００７７】
図１に示すように、本発明の一実施形態による着用可能な表示装置１００は、第３ハウジング１５０及び第４ハウジング１６０が全てｙ軸方向に沿って平行に配置されてもよい。
【００７８】
着用可能な表示装置１００が、携帯端末機１０に固定される場合、図８に示すように、第１ヒンジ１２３ｃ及び第２ヒンジ１３３ｃによって第３ハウジング１５０及び第４ハウジング１６０は、携帯端末機１０の下側を取り囲むようにヒンジ回転してもよい。
【００７９】
図９に示すように、着用可能な表示装置１００が頭に着用される場合、表示部１１０が右側眼球の前面に離隔配置され、第１ハウジング１２０が右側のこめかみと接触して右側耳の上部まで延在し、第２ハウジング１３０が左側のこめかみと接触して左側耳の上部まで延在し、一対のワイヤー部材１４４がユーザの鼻の上に配置される。このとき、第３ハウジング１５０及び第４ハウジング１６０は、それぞれ第１回転関節部１２３及び第２回転関節部１３３によって回転し、左、右側耳の後部をそれぞれ取り囲むように配置してもよい。すなわち、第３ハウジング１５０及び第４ハウジング１６０は眼鏡のチップ（ｔｉｐ）の機能を遂行することができる。
【００８０】
ただし、本発明の範囲はこれに制限されず、本発明の一実施形態による着用可能な表示装置１００を手首に着用する場合、表示部１１０が手の甲に配置され、第１ハウジング１２０及び第２ハウジング１３０が手首の両側面と接触し、第３ハウジング１５０及び第４ハウジング１６０が手首の下側を取り囲むように配置されてもよい。すなわち、第１乃至第４ハウジングは、表示装置１００が手首から離脱するのを防止するために、手首の外側を取り囲むように形成される腕時計のバンド（ｂａｎｄ）の機能を遂行することも可能である。
【００８１】
このように、本発明の一実施形態による着用可能な表示装置１００は、第１回転関節部１２３及び第２回転関節部１３３の複合回転動作を通じて、第３ハウジング１５０及び第４ハウジング１６０の位置を多様に変化させることができるので、頭、腕、脚などのユーザの身体の多様な部分に着用可能であり、身体に着用しない場合には、携帯端末機１０の充電端子に第１接触端子１５１及び第２接触端子１６１を挿入して充電または情報交換が可能である。
【００８２】
以上で説明した通り、本発明の一実施形態による着用可能な表示装置１００は、頭、腕、脚のような身体に着用可能であり、身体に着用しない場合には、移動通信端末機（例えばスマートフォン）などに固定して容易に携帯及び保管することができると同時に、携帯端末機１０と電気的に接続することによって、別途の充電用ドックまたはデータ保存場所を備えなくても、携帯端末機１０を通じた表示装置１００の充電（逆も可）または端末機と表示装置間の情報交換が可能であるので、携帯性及び互換性に全て優れている。
【００８３】
すなわち、本発明の例示的な実施形態において、ユーザは充電または端末機と表示装置間の情報交換のために別の充電用ドック又はデータ保存デバイスに着用可能な表示装置１００を接続することなく、常に着用可能な表示装置１００を使用することが可能である。ユーザが着用可能な表示装置１００で使用するために別の充電ドック又はデータ保存デバイスを持ち歩く必要がないので、本発明の例示的な実施形態は、携帯性と互換性度が高い着用可能な表示装置１００を提供する。
【００８４】
以上、本発明について上述した通り好ましい実施形態を通じて説明したが、本発明はこれに限定されず、特許請求の範囲の概念と範囲を逸脱しない限り、種々の修正及び変形が可能であるということを本発明が属する技術分野における者であれば容易に理解できる。
【符号の説明】
【００８５】
１０  携帯端末機
１１  突出部
１００  表示装置
１１０  表示部
１２０  第１ハウジング
１２１  カバー
１２２  第１凹部
１２３  第１回転関節部
１２３ａ  第１ボール
１２３ｂ  第１ソケット
１２３ｃ  第１ヒンジ
１２３ｄ  第１ベアリング
１３０  第２ハウジング
１３１  収容溝
１３２  第２凹部
１３３  第２回転関節部
１３３ａ  第２ボール
１３３ｂ  第２ソケット
１３３ｃ  第２ヒンジ
１３３ｄ  第２ベアリング
１４０  スライド部
１４１  第１フレーム
１４２  第２フレーム
１４３  ストッパーブロック
１４４  一対のワイヤー部材
１５０  第３ハウジング
１５１  第１接触端子
１６０  第４ハウジング
１６１  第２接触端子
【図１】
2016145979.tif 000003
【図２】
2016145979.tif 000004
【図３】
2016145979.tif 000005
【図４】
2016145979.tif 000006
【図５】
2016145979.tif 000007
【図６】
2016145979.tif 000008
【図７】
2016145979.tif 000009
【図８】
2016145979.tif 000010
【図９】
2016145979.tif 000011